【事件の表示】
　特願２０００−　３２０６０「弾球遊技機」拒絶査定不服審判事件〔平成１３年　８月１４日出願公開、特開２００１−２１８９６９〕について、次のとおり審決する。
【結　論】
　本件審判の請求は、成り立たない。
【理　由】
第１．手続の経緯　
　本願は、平成１２年２月９日の出願であって、平成１４年８月８日付けで拒絶理由が通知され、これに対し、同年９月３０日付けで手続補正がなされ、平成１５年４月３０日付けで拒絶査定がなされ、これに対し、同年５月２９日に拒絶査定に対する審判請求がなされるとともに同日付けで手続補正がなされたものであり、その後、当審において平成１８年１０月３１日付けで、前記平成１５年５月２９日付けの手続補正が却下されるとともに、最後の拒絶理由が通知され、これに対し、同年１２月２５日付けで手続補正がなされたものである。　
　　
第２．平成１８年１２月２５日付けの手続補正についての補正却下の決定
［補正却下の決定の結論］
　平成１８年１２月２５日付けの手続き補正を却下する。
［理由］
　（１）補正後の本願発明　
　平成１８年１２月２５日付けの手続補正書による補正（以下、「本件補正」という。）により、特許請求の範囲の請求項１は、　
「前枠（４）に遊技盤（５）と、該遊技盤（５）の前側に開閉自在に配置されたガラス扉（６）及び前面板（７）とを備え、前記ガラス扉（６）の下側の前記前面板（７）の前面に、発射用の遊技球を貯留する受け皿（１４）を設け、前記前面板（７）の裏側に球払い出し手段から払い出された景品球を前記受け皿（１４）に案内する球案内通路（３４）と、前記受け皿（１４）内の遊技球を発射手段（１７）側に１個ずつ供給する球供給手段とを設けた弾球遊技機において、前記前面板（７）の前記受け皿（１４）の上側近傍から該前面板（７）の上端部との間に、下部側が前側に突出し且つ上部側が前記下部側よりも後方で前記ガラス扉（６）の下端部と前後方向に略一致する傾斜状の取り付け部（４１）を横長状に形成し、該取り付け部（４１）の裏側の凹部内に、遊技関連情報を表示する横長状の遊技情報表示手段（１５）を裏側から嵌め込んで上向きに傾斜させて着脱自在に装着し、該遊技情報表示手段（１５）は、表示ケース（３５）と、前記前面板（７）の表示窓に対応して前記表示ケース（３５）の前側に装着され且つ前記遊技関連情報を印刷した表示シートが裏面に装着された表示体（３６）と、前記表示ケース（３５）内で前記表示体（３６）を背後から照明する複数の光源（３７）とを備えたことを特徴とする弾球遊技機。」（以下、「本願補正発明」という。）と補正された。
　　
　上記補正は、補正前（平成１４年９月３０日付手続補正により補正された特許請求の範囲）の請求項１に記載された発明を特定するために必要な事項である「球案内通路（３４）を設けた弾球遊技機」を「球案内通路（３４）と、前記受け皿（１４）内の遊技球を発射手段（１７）側に１個ずつ供給する球供給手段とを設けた弾球遊技機」と補正し、「遊技関連情報を表示する遊技情報表示手段（１５）を前記受け皿（１４）の上側近傍で前記前面板（７）に該前面板（７）に沿って横長状に装着し、」を「前記前面板（７）の前記受け皿（１４）の上側近傍から該前面板（７）の上端部との間に、下部側が前側に突出し且つ上部側が前記下部側よりも後方で前記ガラス扉（６）の下端部と前後方向に略一致する傾斜状の取り付け部（４１）を横長状に形成し、該取り付け部（４１）の裏側の凹部内に、遊技関連情報を表示する横長状の遊技情報表示手段（１５）を裏側から嵌め込んで上向きに傾斜させて着脱自在に装着し、」と補正し、「光源（３７）」を「複数の光源（３７）」と補正したものであるから、平成１８年改正前特許法第１７条の２第４項第２号の特許請求の範囲の減縮を目的とするものに該当する。
　
　（２）そこで、本願補正発明が特許出願の際独立して特許を受けることができるものであるのか（平成１５年改正前特許法第１７条の２第５項において準用する同法第１２６条第４項の規定に適合するか）について以下に検討する。
　　　
　（あ）刊行物に記載された発明
　刊行物ア：特開２０００−３３１７３号公報（平成１２年２月２日公開）
　刊行物イ：特開平１１−２０６９９６号公報
　刊行物ウ：特開平１１−４７３５４号公報
　刊行物エ：実願昭４９−８２５５９号（実開昭５１−１１１８０号）の
　　　　　　マイクロフィルム　　
　
　当審の拒絶理由通知に引用された、特開２０００−３３１７３号公報（以下「引用刊行物ア」という）には、次の事項が記載されている。
　「【００１４】
【実施例】図１に示すように、遊技機としてのパチンコ機１０は、ヒンジ１４を介して外枠１２に軸支されるプラスチック製の中枠１６、図示しないヒンジ軸を介して中枠１６に軸支される窓枠１８及び皿扉２０を備えている。中枠１６は遊技盤２２を保持しており、その遊技盤２２の前面側は窓枠１８に保持されたガラス板２６にて覆われており、窓枠１８の円形の窓２８から遊技盤２２を見ることができる。また、窓枠１８には、窓２８の直下に遊技機の案内表示装置としての液晶表示装置３０が取付けられている。
【００１５】窓枠１８の下方に配されている皿扉２０は、周知の上受皿３２を備え、賞球としての遊技球の放出口となる上皿出口３４が設けられている。さらに、皿扉２０の下方では、周知の下受皿３６、灰皿３８、操作ダイヤル４０等が中枠１６に取付けられている。」、
　「【００１７】・・・なお、図１に示されるように、液晶表示装置３０は、液晶表示盤３０ｇのみがパチンコ機１０の正面部に配されており、他の部分はパチンコ機１０の内部に配されている。」、
　「【００１９】・・・パチンコ機１０の機種紹介を液晶表示盤３０ｇに表示させる（Ｓ４２０）。機種紹介は、例えば遊技規則上の区別（第１種、第２種、第３種、その他の別）、大当たりのある機種の場合の当たりの確率、その確率が高低変化するきっかけとなる図柄の紹介、大当たり終了後の特典（いわゆる時短等）の内容などである。なお、液晶表示盤３０ｇが横長であることから、この表示は右から左に流れるスクロール表示とされる。以下に説明する他の表示も同様である。
【００２０】・・・このパチンコ機１０の昨日の大当たりの発生回数、今日の大当たりの発生回数など、各種の実績値を液晶表示盤３０ｇに表示させる（Ｓ４３０）。
【００２１】・・・このパチンコ機１０が設置されている遊技店の営業形態（いわゆるラッキーナンバー、開店時間、閉店時間、食事などで遊技機から離れる場合の許容時間など）の案内を液晶表示盤３０ｇに表示させる（Ｓ４４０）。
【００２２】・・・このパチンコ機１０における遊技の紹介（例えば最初は始動入賞口を狙い、図柄表示装置に当たり図柄が表示されたら大入賞口を狙う等の進行手順の説明等）を液晶表示盤３０ｇに表示させる（Ｓ４５０）。」、
　「【００２４】このように、液晶表示装置３０の液晶表示盤３０ｇにて遊技の進行手順、遊技店の営業形態、当たりとなる図柄の組合せ等を表示できる。・・・多量の情報をパチンコ機１０のほぼ中央部という見やすい場所で明瞭に表示できる。」、
　「【００２８】例えば、実施例では液晶表示装置を窓枠に固定しているが、これを他の場所に設置してもよい。また、案内表示装置を固定せずに着脱自在としてもよい。あるいは、実施例では遊技機の例としてパチンコ機を示しているが、他の形態の弾球遊技機でもよいし、スロットマシンなど他の形式の遊技機でもよい。」。
　また、パチンコ機の正面図である第１図には「横長状の液晶表示装置３０を上受皿３２の上側近傍に配置」したことが記載されている。
　
　したがって、これらの記載をまとめると、引用刊行物アには、
「プラスチック製の中枠１６に遊技盤２２と、該遊技盤２２の前面側にヒンジ軸を介して軸支される窓枠１８及び皿扉２０とを備え、前記窓枠１８の下方に配されている前記皿扉２０に、上受皿３２と、上皿出口３４とを設けた弾球遊技機において、
　横長であり且つ多量の情報を見やすい場所で明瞭に表示できる液晶表示装置３０の液晶表示盤３０ｇを上記窓枠１８の窓２８の直下に配し、他の部分は弾球遊技機の内部に配して横長状の液晶表示装置３０を前記上受皿３２の上側近傍で前記窓枠１８に着脱自在に取付け、前記液晶表示装置３０は他の場所に設置してもよく、
　前記液晶表示盤３０ｇに、大当たりのある機種の場合の当たりの確率、その確率が高低変化するきっかけとなる図柄の紹介、遊技の紹介（例えば進行手順の説明等）、当たりとなる図柄の組合せ等を表示させる弾球遊技機。」の発明（以下、「引用発明ア」という）が記載されていると認められる。
　
　本願出願前に頒布された、特開平１１−２０６９９６号公報（以下「引用刊行物イ」という）には、次の事項が記載されている。
　「【０００１】
【発明の属する技術分野】本発明は、パチンコ機に関し、特に、パチンコ機の遊技者が視覚又は聴覚で認識し易く、かつ操作し易い入出力面をパチンコ機に付加する技術に関するものである。」、　
　「【００１４】
【発明の実施の形態】図１は本願発明の実施の形態に係わるパチンコ機の正面を示し、図２は図１に示すものの要部を示している。更に、図５は図２に示すものの縦断面構造を示している。図１、図２及び図５にて、パチンコ機１の前面側に遊技盤面２、下皿３、打球操作ハンドル４、球受け皿ユニットとしての上皿１０等が設けられている。
【００１５】上皿１０は、打球装置に送られるパチンコ球の受皿ユニットであり、前板１７の前面に固定されている。なお、前板１７はパチンコ機１に対し左側面を軸に開放可能になっている。上皿１０の側壁１１及び底面１２は一体に形成され、側壁１１の両端が前板１７に連結されている。賞球排出孔１３が前板１７のうち上皿１０の側壁となる部分に設けられ、賞球排出口１３から排出された賞球（パチンコ球）は上皿１０内に滞留するようになっている。また、底面１２は図示左から右方に下がるように傾斜し、底面１２の右端には図示しない球排出口が形成されている。この球排出口はパチンコ球の打球装置に連通している。
【００１６】膨出部となる付加部２０が上皿１０の底面１２上に前板１７に接するように設けられている。付加部２０と側壁１１との間が球誘導路１５になり、球誘導路１５の図示左側及び右側が球貯留部１４になっている。・・・
【００１７】付加部２０はスピーカー部３０と表示部（操作部分を含む。）４０からなる。スピーカー部３０の筐体３１の上板３２の内面にスピーカー３７が固定されている。上板３２にスピーカー用孔３４が多数形成されている。上板３２の上面（外面）３３は前板１７から離れるほど下がるように傾斜しているので、パチンコ機１を操作する遊技者の方に向くようになっている。・・・
【００１８】表示部４０はスピーカー部３０に隣接してスピーカー部３０と一体に設けられている。表示部４０の上面はパチンコ機１のプリベイドカードのカードリーダー（ＣＲ）の操作パネル４１となり、スピーカー部３０の上面３３と同様に傾斜している。数字表示部４２及び操作部４３（玉貸ボタン４４及びカード返却ボタン４５を有している。）が操作パネル４１に設けられている。数字表示部４２は発光ダイオードにより３桁の数字を表示できるもであり、プリベイドカードの残り度数を表示することができる。・・・」、　
　「【００２１】図４は、上記図２の第２の変形例を示している。図４においては、図２の付加部２０の代わりに膨出部となる表示用付加部（操作部分を含む。）７０が設けられている。表示用付加部７０の外形は付加部２０とほぼ同じである。表示用付加部７０の上面は操作パネル７１となり、該操作パネル７１に数字表示部７２及び操作部７３（カード返却ボタン７４、カード残高表示ボタン７５、大当たり回数表示ボタン７６及び玉貸ボタン７７を有している。）が設けられている。数字表示部７２は発光ダイオードにより８桁の数字を表示できるものである。カード返却ボタン７４を押すとプリベイドカードがカード入口５１から返却される。カード残高表示ボタン７５を押すと、数字表示部７２にカード残高が表示れる。このときの表示の単位は「円」である。大当たり回数表示ボタン７６を押すと、数字表示部７２にパチンコ機１のその日の大当たり回数が表示される。玉貸しボタン７７を押すと、貸し玉が出てくる。なお、前記操作パネル７１は上記付加部２０のスピーカー部３０の上面３３と同様に傾斜している。」。
　また、第２の変形例を示す斜視図である【図４】には「上皿１０の底面１２から前板１７の上端部との間に、表示用付加部７０を設け、該表示用付加部７０の上面は、前記底面１２から上側に離れた下部側が前側に突出し且つ上部側が前記下部側よりも後方である傾斜状の操作パネル７１として横長状に形成され、該操作パネル７１に上向きに傾斜させて横長状の数字表示部７２及び操作部７３が設けられている」事項が示されている。
　
　したがって、第２の変形例についての記載をまとめると、引用刊行物イには、
「左側面を軸に開放可能な前板１７を備え、該前板１７の前面に上皿１０を固定したパチンコ機１において、
　上皿１０の底面１２から前板１７の上端部との間に、表示用付加部７０を設け、該表示用付加部７０の上面は、前記底面１２から上側に離れた下部側が前側に突出し且つ上部側が前記下部側よりも後方である傾斜状の操作パネル７１として横長状に形成され、該操作パネル７１に上向きに傾斜させて横長状の数字表示部７２及び操作部７３が設けられ、
　遊技者が視覚で認識し易く、かつ操作し易い入出力面を付加するパチンコ機１。」の発明（以下、「引用発明イ」という）が記載されていると認められる。
　
　当審の拒絶理由通知に引用された、特開平１１−４７３５４号公報（以下「引用刊行物ウ」という）には、次の事項が記載されている。
　「【０００８】
・・・
【実施例】図１は代表的な遊技機の一例であるパチンコ機１０の斜視図である。パチンコ機１０には、パチンコ店の遊技機設置島（図示は省略）に設置固定するための外枠１８があり、その外枠１８には、ヒンジ１７を支軸に開閉可能に内枠１１が取り付けられている。内枠１１には、パチンコ機１０の裏側から、窓部を塞ぐようにして遊技盤１９が設けてあり、その右側には詳細を後述する本発明の要点でもある情報表示装置１２が取り付けられている。」、　
　「【００１２】次に図３に従って、情報表示装置の構成について説明をする。図３（ａ）は、情報表示装置１２の斜視図で（ｂ）は、その断面図である。情報表示装置１２は、内枠１１の右外周部に設けられており、この情報表示装置１２は、ケース４０の内部に情報の表示内容を文字で示した情報表示板４１を設けると共に、その前方には、フィルター４２が取り付けてある。この実施例では、ケース４０の内部が４個の部屋に区切られており、また、それに対応するように情報表示板４１も情報表示Ａ４９、情報表示Ｂ５０、情報表示Ｃ５１、情報表示Ｄ５２の４つに区切られているため４つの情報を表示することができると共に、その情報表示板４１の後方からそれぞれランプａ４５、ランプｂ４６、ランプｃ４７、ランプｄ４８がランプ基板４４により設けられており後方から照射するように構成されているものである。
【００１３】情報表示装置１２の各情報は、それぞれのランプが点灯することで後方から情報表示板４１を照射することにより明瞭に文字を認識できるようになる。また、ランプが消灯している時には、情報表示板４１はフィルター４２に覆われているため文字を認識することはできないので誤報の恐れもない。情報表示装置１２に表示される内容としては、図示するように上から情報表示Ａ４９が「補給切れです」、情報表示Ｂ５０が「下皿の球を抜いて下さい」、情報表示Ｃ５１が「発射」、情報表示Ｄ５２が「賞球」という表示で形成されている。」。　
　
　したがって、引用刊行物ウには、
「情報表示装置１２は、ケース４０と、前記ケース４０の内部に情報の表示内容を文字で示した情報表示板４１と、その情報表示板４１の後方から照射するランプ４５〜４８とから構成され、該ランプがランプ基板４４により設けられているパチンコ機１０。」の発明（以下、「引用発明ウ」という）が記載されていると認められる。
　
　本願出願前に頒布された、実願昭４９−８２５５９号（実開昭５１−１１１８０号）のマイクロフィルム（以下「引用刊行物エ」という）には、次の事項が記載されている。
　明細書第１頁第９行乃至第２頁第３行には「本考案は、・・・パチンコ遊技台Ａにおいて、該セーフランプ１とその前面に設けた透光性化粧板２との間に、広告表示３を施して成る透光性の広告片４（例えば透明シート或いは半透明シート若しくは薄い不透明シート）を介在配設する構成としたことを特徴としている。」と、
　明細書第２頁第１４行乃至第３頁第３行には「・・・通電点灯されたセーフランプの光は、広告片及び化粧板を透して従来通り入穴報知機能を具備すると共に透光性広告板表面の広告表示が非点灯時に比し鮮かに・・・遊技者に嫌がおうでも広告表示が目に入りその宣伝広告効果は極めて高くなる。」と記載され、
　また、構成要部断面略図である第１図には、「透光性化粧板２の裏面に配置された透光性の広告片４」が示されている。
　したがって、引用刊行物エには、
「セーフランプ１とその前面に透光性化粧板２を設け、該透光性化粧板２の裏面に、広告表示３を施して成る透光性の広告片４（例えばシート）を配設した、パチンコ遊技台Ａ」の発明（以下、「引用発明エ」という）が記載されていると認められる。
　
　（い）本願補正発明との比較・検討
　本願補正発明と引用発明アとを比較する。
　引用発明アの「中枠１６」は本願補正発明の「前枠（４）」に相当し、以下同様に「遊技盤２２」は「遊技盤（５）」に、「ヒンジ軸を介して軸支され」は「開閉自在に配置され」に、「窓枠１８」は「ガラス扉（６）」に、「皿扉２０」は「前面板（７）」に、「上受皿３２」は「受け皿（１４）」に、「弾球遊技機」は「弾球遊技機」に、「多量の情報」は「遊技関連情報」に、「液晶表示装置３０」は「遊技情報表示手段（１５）」に、「着脱自在に取付け」は「着脱自在に装着し」に、それぞれ相当する。そして、引用発明アの「皿扉２０に設けられた上皿出口３４」が遊技球の放出口であることを考慮すれば、「皿扉２０に、上受皿３２と、上皿出口３４とを設け」た引用発明アが、本願補正発明の「前面板（７）の前面に、発射用の遊技球を貯留する受け皿（１４）を設け」との事項に相当する構成を備えること及び「前面板（７）の裏側に球払い出し手段から払い出された景品球を受け皿（１４）に案内する球案内通路（３４）と、前記受け皿（１４）内の遊技球を発射手段（１７）側に１個ずつ供給する球供給手段とを設け」との事項に相当する構成を備えることは技術常識からみて明らかな事項である。
　そうすると、両者の一致点及び相違点は次のとおりである。
　
　一致点
　前枠に遊技盤と、該遊技盤の前側に開閉自在に配置されたガラス扉及び前面板とを備え、前記ガラス扉の下側の前記前面板の前面に、発射用の遊技球を貯留する受け皿を設け、前記前面板の裏側に球払い出し手段から払い出された景品球を前記受け皿に案内する球案内通路と、前記受け皿内の遊技球を発射手段側に１個ずつ供給する球供給手段とを設けた弾球遊技機において、
　遊技関連情報を表示する横長状の遊技情報表示手段を着脱自在に装着したことを特徴とする弾球遊技機。
　
　相違点（Ａ）
　遊技情報表示手段が、本願補正発明では「前面板の受け皿の上側近傍から該前面板の上端部との間に、下部側が前側に突出し且つ上部側が前記下部側よりも後方でガラス扉の下端部と前後方向に略一致する傾斜状の取り付け部を横長状に形成し、該取り付け部の裏側の凹部内に、裏側から嵌め込んで上向きに傾斜させて装着し」たものであるのに対し、引用発明アでは「受け皿の上側近傍に装着し」たものである点
　相違点（Ｂ）
　遊技情報表示手段が、本願補正発明では「表示ケースと、前面板の表示窓に対応して前記表示ケースの前側に装着され且つ遊技関連情報を印刷した表示シートが裏面に装着された表示体と、前記表示ケース内で前記表示体を背後から照明する複数の光源とを備えた」ものであるのに対し、引用発明アではそのような構成を有するかどうか明らかでない点
　
　そこで、上記相違点（Ａ）について検討すると、引用発明イには、「前面板（前板１７）に設けられた受け皿（上皿１０）の底面から上側に離れた位置から前面板（前板１７）の上端部との間に、下部側が前側に突出し且つ上部側が前記下部側よりも後方である傾斜状の取り付け部（操作パネル７１）を横長状に形成し、該取り付け部に、上向きに傾斜させて装着した横長状の遊技情報表示手段（数字表示部７２）」が開示されている。そして、傾斜状の取り付け部の下部側の位置を前面板のどの位置とするかは、遊技情報表示手段の大きさ及び受け皿の大きさを考慮して当業者が適宜決定できる設計上の事項である。また、傾斜状の取り付け部の上部側をガラス扉の下端部と前後方向に略一致させることは、隣接する部材の端部相互を前後方向に略一致させることが意匠上の観点及び安全上の観点などから通常採用されている設計上の事項である。さらに、取り付け部の裏側の凹部内に、裏側から嵌め込んで装着する手段は、組み立て時の容易性や組み立て後の使用状況などを考慮して当業者が適宜決定できる設計上の事項である。したがって、引用発明アの「遊技情報表示手段（液晶表示装置３０）」に引用発明イの「前面板（前板１７）に装着された遊技情報表示手段（数字表示部７２）」の技術を適用し、相違点（Ａ）に係る本願補正発明を特定する事項とすることは、当業者が容易になし得たものである。
　次に、相違点（Ｂ）について検討する。　
　引用発明ウには、「表示ケース（ケース４０）と、前記表示ケースの前側に装着された表示体（情報表示板４１）と、前記表示ケース内で前記表示体を背後から照明する複数の光源（ランプ４５〜４８）とを備えた、弾球遊技機（パチンコ機１０）の遊技情報表示手段（情報表示装置１２）」が開示されている。また、引用発明エには、「情報（広告）を施した表示シート（透光性の広告片４）が裏面に装着された表示体（透光性化粧板２）と、前記表示体を背後から照明する光源（セーフランプ１）とを備えた弾球遊技機（パチンコ遊技台Ａ）」が開示されている。そして、シートに情報を印刷することは普通に採用されている技術であるから、弾球遊技機における情報表示手段において共通している引用発明ウ及びエを組み合わせて、相違点（Ｂ）に係る本願補正発明を特定する事項とすることは、当業者が容易になし得たものである。
　
　そして、効果の点においても、引用発明アの遊技情報表示手段（液晶表示装置３０）は「見やすい場所で明瞭に表示できる」ものであり、また、引用発明イは「遊技者が視覚で認識し易い出力面を付加する」ものであるから、本願補正発明が格別の効果を有するとは認められない。
　
　したがって、本願補正発明は、引用発明ア乃至エに基いて当業者が容易に発明をすることができたものであるから、特許出願の際独立して特許を受けることができないものである。　
　　　
　（う）まとめ
　以上のとおり、本願補正発明は、特許出願の際独立して特許を受けることができないものであるから、本件補正は、平成１５年改正前特許法第１７条の２第５項において準用する同法第１２６条第４項の規定に違反するので、特許法第１５９条第１項の規定において読み替えて準用する同法第５３条第１項の規定により却下すべきものである。
　
　
第３．本願発明について
　平成１８年１２月２５日付けの手続補正は上記のとおり却下されたので、本願の請求項１乃至５に係る発明は、平成１４年９月３０日付けで補正された明細書の記載からみて、その特許請求の範囲の請求項１乃至５に記載されたとおりのものと認められるところ、その請求項１に記載された発明は次のとおりのものである。
　「前枠（４）に遊技盤（５）と、該遊技盤（５）の前側に開閉自在に配置されたガラス扉（６）及び前面板（７）とを備え、前記ガラス扉（６）の下側の前記前面板（７）の前面に、発射用の遊技球を貯留する受け皿（１４）を、裏側に球払い出し手段から払い出された景品球を前記受け皿（１４）に案内する球案内通路（３４）を夫々設けた弾球遊技機において、遊技関連情報を表示する遊技情報表示手段（１５）を前記受け皿（１４）の上側近傍で前記前面板（７）に該前面板（７）に沿って横長状に装着し、該遊技情報表示手段（１５）は、表示ケース（３５）と、前記前面板（７）の表示窓に対応して前記表示ケース（３５）の前側に装着された表示体（３６）と、前記表示ケース（３５）内で前記表示体（３６）を背後から照明する光源（３７）とを備え、前記表示体（３６）の裏面に、前記遊技関連情報が印刷された表示シートを装着したことを特徴とする弾球遊技機。」（以下、「本願発明」という。なお、「前枠（２）」は明細書全体の記載からみて「前枠（４）」の誤記と認め、上記のように認定した。）
　
　（あ）当審の拒絶理由　
　当審は、上記平成１８年１０月３１日付けの拒絶理由で、本願の請求項１乃至５に係る発明は、特許法第２９条第２項の規定により特許を受けることができない旨を通知したが、それらのうち、本願の請求項１に係る発明については、下記の刊行物１乃至４に記載された発明に基づいて当業者が容易に発明をすることができたものであるから、特許を受けることができない旨を通知した。
　
　（い）刊行物に記載された発明
　刊行物１：特開２０００−３３１７３号公報（平成１２年２月２日公開）
　刊行物２：特開平１１−４７３５４号公報
　刊行物３：特開平７−２４１２１号公報
　刊行物４：特開平３−２３６８７２号公報
　
　当審の拒絶理由通知に引用された、特開２０００−３３１７３号公報（上記「引用刊行物ア」と同じ、以下「引用刊行物１」という）の記載事項は、前記「第２．（２）（あ）」に記載したとおりであるから援用し、便宜上、引用刊行物１に記載された発明（上記「引用発明ア」と同じ、以下「引用発明１」という）を転記すると次のとおりのものである。
　「プラスチック製の中枠１６に遊技盤２２と、該遊技盤２２の前面側にヒンジ軸を介して軸支される窓枠１８及び皿扉２０とを備え、前記窓枠１８の下方に配されている前記皿扉２０に、上受皿３２と、上皿出口３４とを設けた弾球遊技機において、
　横長であり且つ多量の情報を見やすい場所で明瞭に表示できる液晶表示装置３０の液晶表示盤３０ｇを上記窓枠１８の窓２８の直下に配し、他の部分は弾球遊技機の内部に配して横長状の液晶表示装置３０を前記上受皿３２の上側近傍で前記窓枠１８に着脱自在に取付け、前記液晶表示装置３０は他の場所に設置してもよく、
　前記液晶表示盤３０ｇに、大当たりのある機種の場合の当たりの確率、その確率が高低変化するきっかけとなる図柄の紹介、遊技の紹介（例えば進行手順の説明等）、当たりとなる図柄の組合せ等を表示させる弾球遊技機。」
　
　当審の拒絶理由通知に引用された、特開平１１−４７３５４号公報（上記「引用刊行物ウ」と同じ、以下「引用刊行物２」という）の記載事項は、前記「第２．（２）（あ）」に記載したとおりであるから援用し、便宜上、引用刊行物２に記載された発明（上記「引用発明ウ」と同じ、以下「引用発明２」という）を転記すると次のとおりのものである。
　「情報表示装置１２は、ケース４０と、前記ケース４０の内部に情報の表示内容を文字で示した情報表示板４１と、その情報表示板４１の後方から照射するランプ４５〜４８とから構成され、該ランプがランプ基板４４により設けられているパチンコ機１０。」
　
　当審の拒絶理由通知に引用された、特開平７−２４１２１号公報（以下「引用刊行物３」という）には、次の事項が記載されている。
　「【０００６】
【実施例】以下に本発明に係るパチンコ機の一実施例を図面と共に説明する。図１は本発明に係るパチンコ機の正面図であり、図において１はパチンコ機本体Ａの外間を囲う機枠、２は機枠１の前面に開閉自在に取着される前面枠で、その裏側に遊技盤３が固着されている。４は前面枠２に開閉自在に装着され、遊技盤３を覆うガラス枠である。・・・」、　
　「【０００９】しかして、１７は前記前面枠２の下部に遊技盤３の打球発射位置８より下方に位置して装着され、パチンコ球を貯留する球受皿である。該球受皿１７は比較的横長の皿部１８を有しており、後壁に前記景品球排出樋１４の流下端と連なる連通口１９が開設されると共に、底壁２０には球抜き孔２１が開設されている。・・・」、　
　「【００１４】一方、前面枠２の前面には、球受皿１７とガラス枠４との間に遊技に関するメッセージ等を表示する表示部３９が設けられると共に、その右隅には遊技者にとって有利となる大当り状態の回数を表示する回数表示部４０が設けられている。・・・」、　
　　
　したがって、引用刊行物３には、
「前面枠２と、前面枠２の裏側に固着される遊技盤３と、前面枠２に開閉自在に装着されて遊技盤３を覆うガラス枠４とを備えるパチンコ機において、ガラス枠４と前面枠２の下部に装着された球受皿１７との間である前面枠２の前面に、遊技に関するメッセージ等を表示する表示部３９が設けられるパチンコ機。」の発明（以下、「引用発明３」という）が記載されていると認められる。
　
　当審の拒絶理由通知に引用された、特開平３−２３６８７２号公報（以下「引用刊行物４」という）の、
　第４頁右上欄第１４行乃至第１９行には「図中、２１は遊技領域３に供給する打球を待機させておくための打球待機樋であり、２２は打球を打球発射位置に供給するための打球供給装置であり、玉送りのための玉送りソレノイドを含む。２３は送り玉を検出するための送り玉検出器であり、・・・」と、
　第４頁左下欄第１１行乃至第１７行には「そして、カードを挿入することによりそのカードに記録されている遊技者の持ち点が現在の得点となり得点表示器２０により表示され、遊技者が遊技を開始して遊技に伴って得点を獲得すればその獲得した得点が加算され、加算された後の得点が前記得点表示器２０により表示される。」と記載され、
　また、弾球遊技機の一例のパチンコ遊技機を示した全体正面図である第１図には、「得点表示器２０の右側の、樋２１・打球供給装置２２・送り玉検出器２３と重なった位置には、正面視横長の矩形状体」及び「得点表示器２０と前記正面視横長の矩形状体とを共通して囲む正面視横長の長方形状体」が示されている。
　したがって、引用刊行物４には、
「正面視横長の長方形状体の部材の裏側に、打球待機樋２１と打球供給装置２２とを設けた弾球遊技機において、前記長方形状体の部材には得点表示器２０と正面視横長の矩形状体の部材とを備えた弾球遊技機。」の発明（以下、「引用発明４」という）が記載されていると認められる。
　
　（う）本願発明との比較・検討
　本願発明と引用発明１とを比較する。
　引用発明１の「中枠１６」は本願発明の「前枠（４）」に相当し、以下同様に「遊技盤２２」は「遊技盤（５）」に、「ヒンジ軸を介して軸支され」は「開閉自在に配置され」に、「窓枠１８」は「ガラス扉（６）」に、「皿扉２０」は「前面板（７）」に、「上受皿３２」は「受け皿（１４）」に、「弾球遊技機」は「弾球遊技機」に、「多量の情報」は「遊技関連情報」に、「液晶表示装置３０」は「遊技情報表示手段（１５）」に、「取付け」は「装着し」に、それぞれ相当する。そして、引用発明１の「皿扉２０に設けられた上皿出口３４」が遊技球の放出口であることを考慮すれば、「皿扉２０に、上受皿３２と、上皿出口３４とを設け」た引用発明１が、本願発明の「前面板（７）の前面に、発射用の遊技球を貯留する受け皿（１４）を、裏側に球払い出し手段から払い出された景品球を受け皿（１４）に案内する球案内通路（３４）を夫々設け」との事項に相当する構成を備えることは技術常識からみて明らかな事項である。
　そうすると、両者の一致点及び相違点は次のとおりである。
　
　一致点
　前枠に遊技盤と、該遊技盤の前側に開閉自在に配置されたガラス扉及び前面板とを備え、前記ガラス扉の下側の前記前面板の前面に、発射用の遊技球を貯留する受け皿を、裏側に球払い出し手段から払い出された景品球を前記受け皿に案内する球案内通路を夫々設けた弾球遊技機において、遊技関連情報を表示する遊技情報表示手段を前記受け皿の上側近傍で横長状に装着したことを特徴とする弾球遊技機。
　
　相違点（１）
　遊技情報表示手段が、本願発明では「前面板に該前面板に沿って装着し」たものであるのに対し、引用発明１では「受け皿の上側近傍に装着し」たものである点
　相違点（２）
　遊技情報表示手段が、本願発明では「表示ケースと、前面板の表示窓に対応して前記表示ケースの前側に装着された表示体と、前記表示ケース内で前記表示体を背後から照明する光源とを備え、前記表示体の裏面に、前記遊技関連情報が印刷された表示シートを装着した」ものであるのに対し、引用発明１ではそのような構成を有するかどうか明らかでない点
　
　そこで、上記相違点（１）について検討すると、引用発明１及び３には、ガラス扉以外の部材に遊技情報表示手段を装着する技術が開示されている。また、引用発明１及び３を認定した刊行物の各々【図１】には遊技盤の遊技領域の下方であって受け皿の上方の位置に遊技情報表示手段を装着する技術が開示されている。さらに、引用発明４には、遊技情報表示手段（得点表示器２０）を備えることが開示され、該遊技情報表示手段を前面板（正面視横長の長方形状体の部材）に装着する技術が示唆されている。そして、引用発明１及び３並びに４は、遊技情報表示手段を備えた点で共通しているから、引用発明１において遊技情報表示手段をガラス扉以外の他の場所に設置する際に、引用発明１がガラス扉の下側に備えている前面板に装着し、相違点（１）に係る本願補正発明の発明を特定する事項とすることは、引用発明１及び３並びに４に基づいて、当業者が容易になし得たものである。
　次に、相違点（２）について検討する。
　引用発明２には、「表示ケース（ケース４０）と、前記表示ケースの前側に装着された表示体（情報表示板４１）と、前記表示ケース内で前記表示体を背後から照明する複数の光源（ランプ４５〜４８）とを備えた、弾球遊技機（パチンコ機１０）の遊技情報表示手段（情報表示装置１２）」が開示されている。そして、表示手段の具体的な構造をどのようなものとするかは当業者が適宜なし得る設計上の事項であるから、相違点（２）に係る本願発明を特定する事項とすることは、引用発明２に基づいて当業者が容易になし得たものである。
　
　そして、効果の点においても、引用発明１の遊技情報表示手段（液晶表示装置３０）は「見やすい場所で明瞭に表示できる」ものであるから、本願発明が格別の効果を有するとは認められない。
　　　
第４．むすび
　以上のとおり、本願発明は、当審の拒絶理由通知に引用された引用発明１乃至４に基づいて当業者が容易に発明をすることができたものであるから、本願の他の請求項に係る発明について検討するまでもなく、本願発明は、特許法第２９条第２項の規定により、特許を受けることができない。
　
　よって、結論のとおり審決する。